(57)【特許請求の範囲】
【請求項１】
上下方向に延び、所定の間隔で多数枚平行に配列されるとともに、直交方向に複数本の伝熱管が上下方向に所定の間隔を保って挿通され、かつ該複数本の伝熱管相互の間に複数の切起し片（３ａ），（３ａ）・・・、（３ｂ），（３ｂ）・・・を設けてなる伝熱フィン（１）であって、その後縁部（１ｂ）の幅を前縁部（１ａ）の幅よりも広くするとともに切起し片のないフラット面に形成し、同フラット面に形成した後縁部（１ｂ）の略中央部付近に、当該伝熱フィン（１）の長手方向に延びる、当該伝熱フィン（１）のフィン面と高さを異にするリブ（４ａ）を設けたことを特徴とする空調用熱交換器の伝熱フィン。
【請求項２】
前記伝熱フィン（１）の上流側伝熱管挿通部（２ａ），（２ａ）・・・と下流側伝熱管挿通部（２ｂ），（２ｂ）・・・との間にも、当該伝熱フィン（１）の長手方向に延びる、当該伝熱フィン（１）のフィン面と高さが異なるリブ（４ｂ）を設けたことを特徴とする請求項１記載の空調用熱交換器の伝熱フィン。
【請求項３】
前記伝熱フィン（１）の前縁部（１ａ）にも当該該伝熱フィン（１）の長手方向に延びる、当該伝熱フィン（１）のフィン面と高さが異なるリブ（４ｃ）を設けたことを特徴とする請求項１又は２記載の空調用熱交換器の伝熱フィン。
【請求項４】
前記伝熱フィン（１）のフィン面と高さが異なるリブ（４ａ），（４ｂ），（４ｃ）は、フィン面の一方側が凸条部、他方側が凹条部を形成するように、伝熱フィン（１）の一部を曲げ成形して形成されていることを特徴とする請求項１，２又は３記載の空調用熱交換器の伝熱フィン。
【請求項５】
上下方向に延び、所定の間隔で多数枚平行に配列されるとともに、直交方向に複数本の伝熱管が上下方向に所定の間隔を保って挿通され、かつ該複数本の伝熱管相互の間に複数の切起し片（３ａ），（３ａ）・・・、（３ｂ），（３ｂ）・・・を設けてなる伝熱フィン（１）であって、その後縁部（１ｂ）の幅を前縁部（１ａ）の幅よりも広くするとともに切起し片のないフラット面に形成し、同フラット面に形成した後縁部（１ｂ）の略中央部付近に、当該伝熱フィン（１）の長手方向に延びる、当該伝熱フィン（１）のフィン面と高さが異なる親水材（６），（７）を設けたことを特徴とする空調用熱交換器の伝熱フィン。
【請求項６】
前記伝熱フィン（１）の上流側伝熱管挿通部（２ａ），（２ａ）・・・と下流側伝熱管挿通部（２ｂ），（２ｂ）・・・との間にも当該伝熱フィン（１）の長手方向に延びる、当該伝熱フィン（１）のフィン面と高さが異なる親水材（６），（７）を設けたことを特徴とする請求項５記載の空調用熱交換器の伝熱フィン。
【請求項７】
前記伝熱フィン（１）の前縁部（１ａ）にも当該該伝熱フィン（１）の長手方向に延びる、当該伝熱フィン（１）のフィン面と高さが異なる親水材（６），（７）を設けたことを特徴とする請求項５又は６記載の空調用熱交換器の伝熱フィン。
【請求項８】
前記親水材（６）は、親水性のある樹脂材であることを特徴とする請求項５，６又は７記載の空調用熱交換器の伝熱フィン。
【請求項９】
前記親水材（７）は、親水性のある繊維材であることを特徴とする請求項５．６又は７記載の空調用熱交換器の伝熱フィン。
【発明の詳細な説明】
【０００１】
【発明の属する技術分野】
【０００２】
本願発明は、空調用熱交換器の伝熱フィンの構造に関するものである。
【従来の技術】
【０００３】
例えば図２４に示されるような、上下方向に延び、所定の間隔で多数枚平行に配列されるとともに、直交方向に複数本の伝熱管が上下方向に所定の間隔を保って挿通される伝熱管挿通部２ａ，２ａ・・・，２ｂ，２ｂ・・・を備え、かつ該複数本の伝熱管挿通部２ａ，２ａ・・・，２ｂ，２ｂ・・・相互の間に複数のルーバー（切起し片）３ａ，３ａ・・・，３ｂ，３ｂ・・・を設けて構成されるクロスフィンコイル型空調用熱交換器の伝熱フィン１では、一般に前縁部１ａと後縁部１ｂの幅は略等しく、例えば蒸発器として使用された場合、その蒸発運転時間の経過に伴って当該伝熱フィン１の表面に凝縮したドレン水が水滴状態で付着滞留し、それが空気流により後縁部１ｂから後方に吹き出されて外部に飛散する問題がある。そこで、従来は、このようなドレン水の飛散を防止するために、例えば当該伝熱フィンの表面に親水処理を施して水滴の発生を抑制することにより、飛散を防止するなどの工夫がなされていた。
【０００４】
一般に該従来の水滴の飛散は、熱交換器の内部を通過する空気流によって風下側の伝熱フィン後縁部１ｂ部分に凝縮したドレン水が集まり、それが切起し片間に滞留することが大きな原因になっていた。
【発明が解決しようとする課題】
【０００５】
しかし、上記熱交換器は、一般に室内機の内部に湾曲させて配置する構成が採用されるため、部分的に傾斜の大きい個所（例えば９０°以下）が生じ、該部分では特に重力により水滴状態で滞留したドレン水が落下しやすくなるので、従来のようなフィン表面の親水処理だけでは対策し切れない。またヘアスプレー等の使用による化学物質の付着や長期間の使用による表面処理剤の劣化などにより親水効果が低下し、凝縮したドレン水が水滴化して飛散しやすくなる。このような事情により、結局熱交換器のレイアウトや送風時の風速なども制約されることになる。
【０００６】
本願発明は、このような従来の問題を解決するためになされたもので、伝熱フィン表面の親水機能が低下したような場合にも、フィン表面に凝縮したドレン水の飛散を防ぐことができる空調用熱交換器の伝熱フィンの構造を提供することを目的とするものである。
【課題を解決するための手段】
【０００７】
本願各発明は、上記の目的を達成するために、それぞれ次のような課題解決手段を備えて構成されている。
【０００８】
（１）  請求項１の発明
この発明の空調用熱交換器の伝熱フィンは、上下方向に延び、所定の間隔で多数枚平行に配列されるとともに、直交方向に複数本の伝熱管が上下方向に所定の間隔を保って挿通され、かつ該複数本の伝熱管相互の間に複数の切起し片３ａ，３ａ・・・，３ｂ，３ｂ・・・を設けてなる伝熱フィン１において、その後縁部１ｂの幅を前縁部１ａの幅よりも広くするとともに切起し片のないフラット面に形成し、同フラット面に形成した後縁部１ｂの略中央部付近に、当該伝熱フィン１の長手方向に延びる、当該伝熱フィン１のフィン面と高さを異にするリブ４ａを設けたことを特徴としている。
【０００９】
一般に従来の水滴の飛散は、熱交換器の内部を通過する空気流によって風下側の伝熱フィン後縁部１ｂ部分に凝縮したドレン水が集まり、それが切起し片間に滞留することが大きな原因になっていた。
【００１０】
しかし、該構成では、先ず上記のように伝熱フィン１の後縁部１ｂ部分の幅が前縁部１ａよりも広く形成され、また同後縁部１ｂ部分には切起し片３ｂ，３ｂ・・・がなく、フラットな面に形成されているために、凝縮した水滴状態のドレン水が切起し片間に滞留するようなことがなく、該フラットで幅の広くなったフィン面に沿って速かに下方に流下するようになるので、従来のようなドレン水の飛散が生じにくくなる。
【００１１】
しかも、この発明の空調用熱交換器の伝熱フィンでは、その場合において、当該伝熱フィン１の後縁部１ｂの略中央部付近には、当該伝熱フィン１の長手方向に延びる、当該伝熱フィン１のフィン面と高さが異なるリブ４ａを設けて構成されている。
【００１２】
したがって、該構成では、上述の作用に加え、空気流により後方に吹き流される水滴状態のドレン水が、さらにフィン面と高さを異にする同後縁部１ｂのリブ４ａにより確実に係留されてリブ４ａの上流側部分に集合せしめられ、重力によってスムーズに下方に排出されるようになるため、水はけ性能が向上し、フィン面の親水機能が低下したとしても、確実にドレン水の飛散が防止される。
【００１３】
また、当該伝熱フィン１の長手方向に同リブ４ａが設けられていることにより、伝熱フィン１自体の強度（剛性）が増大し、製造性が向上して組立工程等での変形等による伝熱性能の低下も抑制される。
【００１４】
（２）  請求項２の発明
この発明の空調用熱交換器の伝熱フィンは、前記請求項１の発明の構成において、さらに前記伝熱フィン１の上流側伝熱管挿通部２ａ，２ａ・・・と下流側伝熱管挿通部２ｂ，２ｂ・・・との間にも、当該伝熱フィン１の長手方向に延びる、当該伝熱フィン１のフィン面と高さが異なるリブ４ｂを設けたことを特徴としている。
【００１５】
したがって、さらに前記伝熱フィン１の上流側伝熱管挿通部２ａ，２ａ・・・と下流側伝熱管挿通部２ｂ，２ｂ・・・との間でも、前記請求項１の発明の作用と同様のドレン水トラップ作用を得ることができ、同作用によって前記伝熱フィン１の上流側伝熱管挿通部２ａ，２ａ・・・と下流側伝熱管挿通部２ｂ，２ｂ・・・との間と後縁部１ｂとの２つの個所で２段階にドレン水を係留集合させて確実に下方に排出できるようになるため、さらに水はけ性能が向上し、より確実にドレン水の飛散が防止されるようになるとともに、２個所に、当該伝熱フィン１のフィン面と高さが異なるリブ４ａ，４ｂがあるので伝熱フィン１自体の強度（剛性）もさらに増大する。
【００１６】
（３）  請求項３の発明
この発明の空調用熱交換器の伝熱フィンは、前記請求項１又は２の発明の構成において、さらに前記伝熱フィン１の前縁部１ａにも当該該伝熱フィン１の長手方向に延びる、当該伝熱フィン１のフィン面と高さが異なるリブ４ｃを設けたことを特徴としている。
【００１７】
したがって、さらに当該伝熱フィン１の前縁部１ａでも前記請求項１又は２の発明のドレン水のトラップ、下方への排出作用を得ることができるようになり、熱交換器を前後どちら側に傾けて設けた場合にも水はけ性能が向上して、後縁部１ｂからのドレン水の飛散を、より有効に防止し得るようになる。また、伝熱フィン１全体の強度（剛性）を前後両端側で均一に増大させることができる。
【００１８】
（４）  請求項４の発明
この発明の空調用熱交換器の伝熱フィンは、前記請求項１，２又は３の発明の構成において、前記伝熱フィン１のフィン面と高さが異なるリブ４ａ，４ｂ，４ｃは、フィン面の一方側が凸条部、他方側が凹条部を形成するように、伝熱フィン１の一部を曲げ成形して形成したことを特徴としている。
【００１９】
したがって、下流端に達する前の後縁部１ｂの途中で、同曲げ成形により形成されたフィン面の一方側に凸条部、他方側に凹条部を有するフィン面と高さを異にするリブ４ａ，４ｂ，４ｃ部分にドレン水を確実に係留させて、早目に重力により下方に排出できるので、効率良く、しかも確実にドレン水の飛散が防止されるようになるとともに、伝熱フィン１自体の強度（剛性）も有効に増大する。
【００２０】
（５）  請求項５の発明
この発明の空調用熱交換器の伝熱フィンは、上下方向に延び、所定の間隔で多数枚平行に配列されるとともに、直交方向に複数本の伝熱管が上下方向に所定の間隔を保って挿通され、かつ該複数本の伝熱管相互の間に複数の切起し片３ａ，３ａ・・・，３ｂ，３ｂ・・・を設けてなる伝熱フィン１において、その後縁部１ｂの幅を前縁部１ａの幅よりも広くするとともに切起し片のないフラット面に形成し、同フラット面に形成した後縁部１ｂの略中央部付近に、当該伝熱フィン１の長手方向に延びる、当該伝熱フィン１のフィン面と高さが異なる親水材６，７を設けたことを特徴としている。
【００２１】
一般に従来の水滴の飛散は、熱交換器の内部を通過する空気流によって風下側の伝熱フィン後縁部１ｂ部分に凝縮したドレン水が集まり、それが切起し片間に滞留することが大きな原因になっていた。
【００２２】
しかし、該構成では、先ず上記のように伝熱フィン１の後縁部１ｂ部分の幅が前縁部１ａよりも広く形成され、また同後縁部１ｂ部分には切起し片３ｂ，３ｂ・・・がなく、フラットな面に形成されているために、凝縮した水滴状態のドレン水が切起し片間に滞留するようなことがなく、該フラットで幅の広くなったフィン面に沿って速かに下方に流下するようになるので、従来のようなドレン水の飛散が生じにくくなる。
【００２３】
しかも、この発明の空調用熱交換器の伝熱フィンでは、その場合において、当該伝熱フィン１の後縁部１ｂの略中央部付近に、当該伝熱フィン１の長手方向に延びる、当該伝熱フィン１のフィン面と高さが異なる親水材６，７を設けて構成されている。
【００２４】
したがって、該構成では、上述の作用に加え、空気流により後方に吹き流される水滴状態のドレン水が、さらに同後縁部１ｂのフィン面と高さを異にする親水材６，７により確実に係留されて同親水材６，７の上流側部分に集合せしめられ、重力によってスムーズに下方に排出されるようになるため、水はけ性能が向上し、フィン面の親水機能が低下したとしても確実にドレン水の飛散が防止される。
【００２５】
また、当該伝熱フィン１の長手方向に同親水材６，７が設けられていることにより伝熱フィン１自体の強度（剛性）が増大し、製造性が向上して組立工程等での変形等による伝熱性能の低下も抑制される。
【００２６】
（６）  請求項６の発明
この発明の空調用熱交換器の伝熱フィンは、前記請求項５の発明の構成において、さらに伝熱フィン１の上流側伝熱管挿通部２ａ，２ａ・・・と下流側伝熱管挿通部２ｂ，２ｂ・・・との間にも当該伝熱フィン１の長手方向に延びる、当該伝熱フィン１のフィン面と高さが異なる親水材６，７を設けたことを特徴としている。
【００２７】
したがって、該構成では、前記伝熱フィン１の上流側伝熱管挿通部２ａ，２ａ・・・と下流側伝熱管挿通部２ｂ，２ｂ・・・との間でも、前記請求項５の発明の作用と同様の作用を得ることができ、同作用によって前記伝熱フィン１の上流側伝熱管挿通部２ａ，２ａ・・・と下流側伝熱管挿通部２ｂ，２ｂ・・・との間と後縁部１ｂとの２つの個所で２段階にドレン水を係留集合させて確実に下方に排出できるようになるため、さらに水はけ性能が向上し、より確実にドレン水の飛散が防止されるようになる。
【００２８】
（７）  請求項７の発明
この発明の空調用熱交換器の伝熱フィンは、前記請求項５又は６の発明の構成において、さらに伝熱フィン１の前縁部１ａにも当該伝熱フィン１の長手方向に延びる、当該伝熱フィン１のフィン面と高さを異にする親水材６，７を設けたことを特徴としている。
【００２９】
したがって、該構成では、さらに当該伝熱フィン１の前縁部１ａでも前記請求項５又は６の発明と同様のドレン水の係留、下方への排出作用を得ることができるようになり、熱交換器を前後どちら側に傾けて設置したとしても水はけ性能が向上し、後縁部１ｂからのドレン水の飛散を、さらに有効に防止し得るようになる。
【００３０】
（８）  請求項８の発明
この発明の空調用熱交換器の伝熱フィンは、前記請求項５，６又は７の発明の構成において、親水材６として親水性のある樹脂材を用いて構成されている。
【００３１】
したがって、該構成では、親水性のある樹脂材よりなる親水材にドレン水を係留保水させて重力により下方に排出することができるようになるため、伝熱フィン１表面の親水機能が低下したとしても、ドレン水の飛散を防止できるようになる。
【００３２】
（９）  請求項９の発明
この発明の空調用熱交換器の伝熱フィンは、前記請求項５，６又は７の発明の構成において、親水材７として吸水性の高い繊維材を用いて構成されている。
【００３３】
したがって、該構成では、吸水性の高い繊維材よりなる親水材７にドレン水を確実に吸水保持させて重力により下方に排出することができるようになるため、伝熱フィン１表面の親水機能が低下したとしても、より確実にドレン水の飛散を防止できるようになる。
【発明の効果】
【００３４】
以上の結果、本願各発明の空調用熱交換器の伝熱フィンによると、伝熱フィンの後縁部からのドレン水の飛散が有効に防止されるようになるとともに、より確実にドレン水の排出が行えるようになり、熱交換器レイアウトの自由度、風量制御幅の自由度が向上する。
【００３５】
また、伝熱フィン表面の親水機能が低下してもドレン水の飛散を防止できる。
【００３６】
さらに、伝熱フィン自体の強度（剛性）が増大し、製造性が向上して組立工程等での変形等による伝熱性能の低下も抑制される。
【発明の実施の形態】
【００３７】
（実施の形態１）
まず、図１は本願発明の実施の形態１に係る空調用熱交換器の伝熱フィンの構成を示すものである。
【００３８】
この実施の形態の伝熱フィン１は、例えば図１に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に比して、その最後列側のルーバー片を設けないようにしており、それによって当該伝熱フィン１の後縁部１ｂはルーバー３ｂ，３ｂ・・・がない前縁部１ａの幅に比べて相当に広い所定幅ａのフラット面に形成されている。
【００３９】
従来の水滴の飛散は、熱交換器の内部を通過する空気流によって風下側の伝熱フィン後縁部１ｂ部分に凝縮したドレン水が集まり、それが切起し片間に滞留することが大きな原因になっていた。
【００４０】
しかし、該構成では、上記のように伝熱フィン１の後縁部１ｂがルーバー３ｂ，３ｂ・・・のない前縁部１ａの幅に比べて相当に大きな所定幅ａのフラット面に形成されているため、凝縮した水滴状態のドレン水がルーバー部に留ることなく、該フラットで幅広いフィン面に沿って速かに下方に流下するようになるので、該フィン面部分で殆どの水滴が下方に流下するようになり、水はけ性能が向上し、従来に比べて外部への水滴の飛散が生じにくくなる。
【００４１】
（実施の形態２）
次に、図２は、本願発明の実施の形態２に係る空調用熱交換器の伝熱フィンの構成を示すものである。
【００４２】
この実施の形態の伝熱フィン１は、例えば図２に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、上記実施の形態１のものと同様に前列側伝熱管挿通部２ａ，２ａ・・・相互の間のルーバー３ａ，３ａ・・・に比して、その最後列側のルーバー片を設けないようにしており、それによって当該伝熱フィン１の後縁部１ｂはルーバー３ｂ，３ｂ・・・がない前縁部１ａの幅に比べて相当に広い所定幅ａのフラット面に形成されている。
【００４３】
そして、この実施の形態の場合には、さらに該フラット面となった当該伝熱フィン１の後縁部１ｂの略中央部に、当該伝熱フィン１の長手方向に延びるリブ４ａが設けられている。
【００４４】
該リブ４ａは、当該伝熱フィン１の後縁部１ｂを例えばプレス成形などの方法で曲げ成形することにより、例えば図５の（ａ）に示すように断面Ｖ字形に形成され、一側面側にフィン面よりも高さが高い凸条部４１を、他側面側にフィン面よりも高さが低い凹条部４２を形成している。
【００４５】
したがって、該構成では、伝熱フィン後縁部１ｂ部分でのドレン水の滞留が生じにくくなるとともに、空気流により後方に吹き流される水滴状態のドレン水が幅の広い後縁部１ｂに設けられたリブ４ａの凸条部４１と凹条部４２により確実に係留されて集合し、重力によって当該凸条部４１および凹条部４２に沿って下方に排出されるようになるため、水はけ性能が向上し、仮にフィン面の親水機能が劣化しても有効にドレン水の飛散が防止される。また、当該伝熱フィン１の長手方向に補強効果の高い断面Ｖ字形のリブ４ａが設けられていることから、伝熱フィン１自体の強度（剛性）が増大し、製造性が良くなって組立工程等での変形等による伝熱性能の低下も抑制される。
【００４６】
（変形例）
なお、以上の実施の形態におけるリブ４ａは、例えば図５（ａ）のような断面Ｖ字形状のものに限られるものではなく、次のような種々の変形が可能である。
【００４７】
（１）  図５（ｂ）のような断面半円形状のものに形成する。このようにすると、凸条部４１側を通る風の抵抗が小さくなる。
【００４８】
（２）  図５（ｃ）のような断面角形のものに形成する。このようにすると、凸条部４１側、凹条部４２側共に水滴の係留作用が向上し、より確実にドレン水の飛散を防止できる。
【００４９】
（３）  図５（ｄ）のように、先端側を拡大させた断面リベット形状のものに形成する。このようにすると、凸条部４１側の水滴係留、下方への流下ガイド作用が大きく向上する。
【００５０】
（４）  図５（ｅ）のように、先端を空気流下流方向に折り曲げた形状のものに形成する。このようにすると、凸条部４１側の水滴が下流側の隙間部に保水され、下方への流下ガイド作用が向上する。
【００５１】
（実施の形態３）
次に、図３は、本願発明の実施の形態３に係る空調用熱交換器の伝熱フィンの構成を示すものである。
【００５２】
この実施の形態の伝熱フィン１は、例えば図３に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に対して、その最後列側のルーバー片を設けないようにしており、それによって当該伝熱フィン１の後縁部１ｂは前縁部１ａの幅に比べて相当に広い所定幅ａのルーバー３ｂ，３ｂ・・・がないフラット面に形成されている。
【００５３】
また、この実施の形態の場合には、前列側のルーバー３ａ，３ａ・・・の最後列のルーバー片をなくすことによって当該伝熱フィン中央部１ｃの上記前列側伝熱管挿通部２ａ，２ａ・・・と後列側伝熱管挿通部２ｂ，２ｂ・・・との間にもルーバー３ａ，３ａ・・・、３ｂ，３ｂ・・・のない上記後縁部１ｂの幅ａよりも広い所定幅ｂのフラット面が形成されている。
【００５４】
そして、該フラット面となった当該伝熱フィン１の上記後縁部１ｂおよび中央部１ｃの各々略中央部には、当該伝熱フィン１の長手方向に延びるリブ４ａ，４ｂがそれぞれ設けられている。
【００５５】
該リブ４ａ，４ｂは、当該伝熱フィン１の後縁部１ｂおよび中央部１ｃをそれぞれプレス成形などの方法で曲げ成形することにより、例えば前述の図５の（ａ）に示すような断面Ｖ字形に形成され、その一側面側にフィン面よりも高さが高い凸条部４１を、他側面側にフィン面よりも高さが低い凹条部４２を形成している。
【００５６】
したがって、該構成では、伝熱フィン後縁部１ｂ部分でのドレン水の滞留が生じにくくなるとともに、空気流により後方に吹き流される水滴状態のドレン水が中央部１ｃおよび後縁部１ｂに設けられたリブ４ｂ，４ａの各凸条部４１と凹条部４２とにより、それぞれ上流側と下流側の２ケ所で確実に係留されて集合し、重力によって当該凸条部４１および凹条部４２に沿って下方に排出されるようになるため、さらに水はけ性能が向上し、仮にフィン面の親水機能が劣化したとしても、より有効にドレン水の飛散が防止されるようになる。また、当該伝熱フィン１の中央部１ｃと後縁部１ｂの２ケ所に長手方向に補強効果の高い断面Ｖ字形のリブ４ｂ，４ａが設けられていることから、当該伝熱フィン１自体の強度（剛性）がさらに増大し、より製造性が良くなって組立工程等での変形等による伝熱性能の低下も有効に抑制される。
【００５７】
（変形例）
なお、以上の実施の形態におけるリブ４ａ，４ｂは、例えば図５（ａ）のような断面Ｖ字形状のものに限られるものではなく、次のような種々の変形が可能である。
【００５８】
（１）  図５（ｂ）のような断面半円形状のものに形成する。このようにすると、凸条部４１側を通る風の抵抗が小さくなる。
【００５９】
（２）  図５（ｃ）のような断面角形のものに形成する。このようにすると、凸条部４１側、凹条部４２側共に水滴の係留作用が向上し、より確実にドレン水の飛散を防止できる。
【００６０】
（３）  図５（ｄ）のように、先端側を拡大させた断面リベット形状のものに形成する。このようにすると、凸条部４１側の水滴係留、下方への流下ガイド作用が大きく向上する。
【００６１】
（４）  図５（ｅ）のように、先端を空気流下流方向に折り曲げた形状のものに形成する。このようにすると、凸条部４１側の水滴が下流側の隙間で保水され、下方への流下ガイド作用が大きく向上する。
【００６２】
（実施の形態４）
次に、図４は、本願発明の実施の形態４に係る空調用熱交換器の伝熱フィンの構成を示すものである。
【００６３】
この実施の形態の伝熱フィン１は、例えば図４に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に比して、その最後列側のルーバー片を設けないようにしており、それによって当該伝熱フィン１の後縁部１ｂは前縁部１ａの幅に比べて相当に広い所定幅ａのルーバー３ｂ，３ｂ・・・がないフラット面に形成されている。
【００６４】
また、この実施の形態の場合には、当該伝熱フィン１の前列側ルーバー３ａ，３ａ・・・の最前列のルーバー片をなくすとともに前縁部１ａの前端を前方に延長することによって前縁部１ａにもルーバー３ａ，３ａ・・・、３ｂ，３ｂ・・・のない上記後縁部１ｂの幅ａと略同等の所定幅ｃのフラット面が形成されている。
【００６５】
そして、該フラット面となった当該伝熱フィン１の前縁部１ａおよび後縁部１ｂの各々略中央部には、当該伝熱フィン１の長手方向に延びるリブ４ａ，４ｂが設けられている。
【００６６】
該リブ４ｃ，４ａは、当該伝熱フィン１の前縁部１ａおよび後縁部１ｂをそれぞれプレス成形することにより、例えば前述の図５の（ａ）に示すような断面Ｖ字形に形成され、その一側面側にフィン面よりも高さが高い凸条部４１を、他側面側にフィン面よりも高さが低い凹条部４２を形成している。
【００６７】
したがって、該構成では、伝熱フィン後縁部１ｂ部分にドレン水の滞留が生じにくくなるとともに、空気流により後方に吹き流される水滴状態のドレン水が上記前縁部１ａおよび後縁部１ｂに設けられたリブ４ｃ，４ａの各凸条部４１と凹条部４２とによりそれぞれ上流側と下流側の２ケ所で確実に係留されて集合し、重力によって当該各凸条部４１および凹条部４２に沿って下方に排出されるようになるため、前後両端側の何れの方向に傾けて設置したとしても、十分に水はけ性能が向上し、仮にフィン面の親水機能が劣化したとしても、より有効にドレン水の飛散が防止されるようになる。また、当該伝熱フィン１の前縁部１ａと後縁部１ｂの両端側２ケ所に長手方向に補強効果の高い断面Ｖ字形のリブ４ｃ，４ａが設けられていることから、当該伝熱フィン１全体の強度（剛性）が均一に増大し、さらに製造性が良くなって組立工程等での変形等による伝熱性能の低下もより有効に抑制される。
【００６８】
（変形例）
なお、以上の実施の形態におけるリブ４ａ，４ｃは、例えば図５（ａ）のような断面Ｖ字形状のものに限られるものではなく、次のような種々の変形が可能である。
【００６９】
（１）  図５（ｂ）のような断面半円形状のものに形成する。このようにすると、凸条部４１側を通る風の抵抗が小さくなる。
【００７０】
（２）  図５（ｃ）のような断面角形のものに形成する。このようにすると、凸条部４１側、凹条部４２側共に水滴の係留作用が向上し、より確実にドレン水の飛散を防止できる。
【００７１】
（３）  図５（ｄ）のように、先端側を拡大させた断面リベット形状のものに形成する。このようにすると、凸条部４１側の水滴係留、下方への流下ガイド作用が大きく向上する。
【００７２】
（４）  図５（ｅ）のように、先端を空気流方向に折り曲げた形状のものに形成する。このようにすると、凸条部４１下流側の隙間による水滴保留、下方への流下ガイド作用が大きく向上する。
【００７３】
（実施の形態５）
次に、図６は、本願発明の実施の形態５に係る空調用熱交換器の伝熱フィンの構成を示すものである。
【００７４】
この実施の形態の伝熱フィン１は、例えば図６に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に対して、その最後列側のルーバー片を設けないようにしており、それによって当該伝熱フィン１の後縁部１ｂは前縁部１ａの幅に比べて相当に広い所定幅ａのルーバー３ｂ，３ｂ・・・がないフラット面に形成されている。
【００７５】
そして、該フラット面となった当該伝熱フィン１の後縁部１ｂは、例えば図７に示されるように、その後縁側を前方側に折り返すことによって、当該伝熱フィン１の長手方向に延びる折り返し部５が設けられている。
【００７６】
したがって、該構成では、上記同様に伝熱フィン後縁部１ｂ部分でのドレン水の滞留が生じにくくなるとともに、空気流により後方に吹き流される水滴状態のドレン水が上記後縁部１ｂに設けられた折り返し部５の折り返し片５ａで係留されて内側に集合し、重力によって当該折り返し片５ａとの間の隙間に沿って下方に排出されるようになるため、特に水はけ性能が良くなり、仮にフィン面の親水機能が劣化したとしても、より有効にドレン水の飛散が防止されるようになる。また、当該伝熱フィン１の後縁部１ｂに長手方向に補強効果の高い折り返し部５が設けられていることから、当該伝熱フィン１自体の強度（剛性）がさらに増大し、製造性も良くなって組立工程等での変形等による伝熱性能の低下も抑制される。
【００７７】
（実施の形態６）
次に、図８は、本願発明の実施の形態６に係る空調用熱交換器の伝熱フィンの構成を示すものである。
【００７８】
この実施の形態の伝熱フィン１は、例えば図８に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に比して、その最後列側のルーバー片を設けないようにしており、それによって当該伝熱フィン１の後縁部１ｂは前縁部１ａの幅に比べて相当に広い所定幅ａのルーバー３ｂ，３ｂ・・・がないフラット面に形成されている。
【００７９】
そして、該フラット面となった当該伝熱フィン１の後縁部１ｂの略中央部には、親水材として当該伝熱フィン１の長手方向に延びるフィン面よりも高さが高い親水性のある樹脂棒６が設けられている。
【００８０】
したがって、該構成では、上記同様に伝熱フィン後縁部１ｂ部分でのドレン水の滞留が生じにくくなるとともに、空気流により後方に吹き流される水滴状態のドレン水が後縁部１ｂに設けられた親水性のある樹脂棒６により係留されて集合し、重力によって当該樹脂棒６に沿って下方に排出されるようになるため、水はけ性能が向上し、仮にフィン面の親水機能が劣化したとしても、より有効にドレン水の飛散が防止されるようになる。また、当該伝熱フィン１の後縁部１ｂに長手方向に樹脂棒６が設けられていることから、当該伝熱フィン１自体の強度（剛性）が或る程度増大し、組立工程等での変形等による伝熱性能の低下も抑制される。
【００８１】
（実施の形態７）
上記実施の形態６のような樹脂棒６を、例えば上述した実施の形態３又は実施の形態４におけるリブ４ａ，４ｂ又は４ａ，４ｃに代えて採用するようにしても良い。その場合にも各々それらに対応する作用を得ることができる。
【００８２】
（実施の形態８）
次に、図９は、本願発明の実施の形態８に係る空調用熱交換器の伝熱フィンの構成を示すものである。
【００８３】
この実施の形態の伝熱フィン１は、例えば図９に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に対して、その最後列側のルーバー片を設けないようにしており、それによって当該伝熱フィン１の後縁部１ｂは前縁部１ａの幅に比べて相当に広い所定幅ａのルーバー３ｂ，３ｂ・・・がないフラット面に形成されている。
【００８４】
そして、該フラット面となった当該伝熱フィン１の後縁部１ｂには、フィン面よりも高さが高い親水材として当該伝熱フィン１の長手方向に延びる吸水性のある繊維材（糸）７が設けられている。
【００８５】
したがって、該構成では、上記同様に伝熱フィン後縁部１ｂ部分でのドレン水の滞留が生じにくくなるとともに、空気流により後方に吹き流される水滴状態のドレン水が上記後縁部１ｂに設けられた吸水性のある繊維材７により吸水されて集合し、重力によって当該繊維材７に沿って下方に排出されるようになるため、保水性が向上し、仮にフィン面の親水機能が劣化したとしても、より有効にドレン水の飛散が防止されるようになる。
【００８６】
（実施の形態９）
上記実施の形態８のような繊維材７を、例えば上述の実施の形態３又は実施の形態４におけるリブ４ａ，４ｂ又は４ａ，４ｃに代えて採用するようにしても良い。そのようにした場合にも、それぞれそれらと同様の作用を得ることができる。
【００８７】
（実施の形態１０）
次に、図１０は、本願発明の実施の形態１０に係る空調用熱交換器の伝熱フィンの構成を示すものである。
【００８８】
この実施の形態の伝熱フィン１は、例えば図１０に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に対して、その最後列側のルーバー片を設けないようにしており、それによって当該伝熱フィン１の後縁部１ｂは従来の前縁部１ａの幅に比べて相当に広い所定幅ａのルーバー３ｂ，３ｂ・・・がないフラット面に形成されている。
【００８９】
また、当該伝熱フィン１の前縁部１ａは、前列側伝熱管挿通部２ａ，２ａ・・・およびルーバー３ａ，３ａ・・・を所定寸法後方に偏位させるとともに最前列のルーバー片を除去することにより、従来の前縁部１ａの幅よりも相当に広い所定幅ｃのルーバー３ａ，３ａ・・・のないフラット面に形成されている。
【００９０】
そして、上記フラット面となった当該伝熱フィン１の上記後縁部１ｂの略中央部には、当該伝熱フィン１の長手方向に延びるリブ４ａが設けられている。
【００９１】
該リブ４ａは、当該伝熱フィン１の後縁部１ｂをそれぞれプレス成形することにより、例えば前述の図５の（ａ）に示すような断面Ｖ字形に形成され、その一側面側にフィン面よりも高さが高い凸条部４１を、他側面側にフィン面よりも高さが低い凹条部４２を形成している。
【００９２】
したがって、該構成では、上述のものと同様に伝熱フィン後縁部１ｂ部分でのドレン水の滞留が生じにくくなる一方、空気流により後方に吹き流される水滴状態のドレン水が後縁部１ｂに設けられたリブ４ａの凸条部４１と凹条部４２により係留されて集合し、重力によって当該凸条部４１および凹条部４２に沿って下方に排出されるようになるため、水はけ性能が良くなり、仮にフィン面の親水機能が劣化したとしても、より有効にドレン水の飛散が防止されるようになる。また、当該伝熱フィン１の後縁部１ｂに長手方向に補強効果の高い断面Ｖ字形のリブ４ａが設けられていることから、当該伝熱フィン１自体の強度（剛性）がさらに増大し、製造性が向上して組立工程等での変形等による伝熱性能の低下も抑制される。
【００９３】
また、それに加えて風上側で熱伝達率の高い前縁部１ａの幅をも従来のものの幅よりも相当に広く形成しているので、通風抵抗を増大させることなく十分な前縁効果を得ることができるようになり、より有効に伝熱性能が向上する。
【００９４】
なお、該前縁部１ａの幅の拡大は、上記の方法に代えて前端を前方に延長することによって実現することもできる。
【００９５】
（実施の形態１１）
次に、図１１は、本願発明の実施の形態１１に係る空調用熱交換器の伝熱フィンの構成を示すものである。
【００９６】
この実施の形態の伝熱フィン１は、例えば図１１に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に対して、その最後列側のルーバー片を設けないようにしており、それによって当該伝熱フィン１の後縁部１ｂは従来の前縁部１ａの幅に比べて相当に広い所定幅ａのルーバー３ｂ，３ｂ・・・がないフラット面に形成されている。
【００９７】
また、前列側ルーバー３ａ，３ａ・・・の最後列のルーバー片をなくすことにより、当該伝熱フィン中央部１ｃの上記前列側伝熱管挿通部２ａ，２ａ・・・と後列側伝熱管挿通部２ｂ，２ｂ・・・との間にもルーバー３ａ，３ａ・・・、３ｂ，３ｂ・・・のない上記後縁部１ｂの幅ａよりも広い所定幅ｂのフラット面が形成されている。
【００９８】
さらに、その場合において、当該伝熱フィン１の前縁部１ａは所定寸法前方に延設されて従来の前縁部１ａの幅よりも相当に広い所定幅ｃのルーバー３ａ，３ａ・・・のないフラット面に形成されている。
【００９９】
そして、上記フラット面となった当該伝熱フィン１の上記後縁部１ｂおよび中央部１ｃの各々略中央部には、当該伝熱フィン１の長手方向に延びるリブ４ａ，４ｂが設けられている。
【０１００】
該リブ４ａ，４ｂは、当該伝熱フィン１の後縁部１ｂおよび中央部１ｃをそれぞれプレス成形することにより、例えば前述の図５の（ａ）に示すような断面Ｖ字形に形成され、その一側面側にフィン面よりも高さが高い凸条部４１を、他側面側にフィン面よりも高さが低い凹条部４２を形成している。
【０１０１】
したがって、該構成では、上述のものと同様に伝熱フィン後縁部１ｂ部分でのドレン水の滞留が生じにくくなる一方、空気流により後方に吹き流される水滴状態のドレン水が中央部１ｃおよび後縁部１ｂに設けられたリブ４ｂ，４ａの凸条部４１と凹条部４２によりそれぞれ上流側と下流側の２ケ所で係留されて集合し、重力によって当該凸条部４１および凹条部４２に沿って下方に排出されるようになるため、水はけ性能が向上し、仮にフィン面の親水機能が劣化したとしても、より有効にドレン水の飛散が防止されるようになる。また、当該伝熱フィン１の中央部１ｃと後縁部１ｂの２ケ所に長手方向に補強効果の高い断面Ｖ字形のリブ４ｂ，４ａが設けられていることから、当該伝熱フィン１自体の強度（剛性）がさらに増大し、製造性が良くなって組立工程等での変形等による伝熱性能の低下も抑制される。
【０１０２】
また、それに加えて風上側で熱伝達率の高いフラットな前縁部１ａの幅を広く形成しているので、通風抵抗を増大させることなく十分な前縁効果を得ることができるようになり、より有効に、伝熱性能が向上する。
【０１０３】
（実施の形態１２）
次に、図１２は、本願発明の実施の形態１２に係る空調用熱交換器の伝熱フィンの構成を示すものである。
【０１０４】
この実施の形態の伝熱フィン１は、例えば図１２に示されるように、上下方向に延び、所定の間隔で多数枚平行に配列されるものであり、直交方向に複数本の伝熱管を挿通する複数の伝熱管挿通部（フィンカラー）２ａ，２ａ・・・、２ｂ，２ｂ・・・が上下方向に所定の間隔を保ち、かつ前列側（空気流上流側）のもの２ａ，２ａ・・・と後列側（空気流下流側）のもの２ｂ，２ｂ・・・とが空気流の方向に重ならないように相互に上下位置を変えて前後方向に２列設けられている。そして、該前列および後列の上下方向に延びる各伝熱管挿通部２ａ，２ａ・・・、２ｂ，２ｂ・・・の上下のもの相互の間には、複数のルーバー片（切起し片）を横Ｘ字形に配列してなるルーバー３ａ，３ａ・・・、３ｂ，３ｂ・・・がそれぞれ設けられている。また、該ルーバー３ａ，３ａ・・・、３ｂ，３ｂ・・・の内の後列側伝熱管挿通部２ｂ，２ｂ・・・相互の間のルーバー３ｂ，３ｂ・・・は、前列側伝熱管挿通部２ａ，２ａ・・・相互の間のルーバー３ａ，３ａ・・・に対して、その最後列側のルーバー片を設けないようにしており、それによって当該伝熱フィン１の後縁部１ｂは従来の前縁部１ａの幅に比べて相当に広い所定幅ａのルーバー３ｂ，３ｂ・・・がないフラット面に形成されている。
【０１０５】
また、当該伝熱フィン１の前縁部１ａは所定寸法前述に延設されて上記後縁部１ｂの幅ａよりも相当に広い所定幅ｃのルーバー３ａ，３ａ・・・のないフラット面に形成されている。
【０１０６】
そして、それぞれ広いフラット面となった当該伝熱フィン１の上記前縁部１ａおよび後縁部１ｂの略中央部には、それぞれ当該伝熱フィン１の長手方向に延びるリブ４ｃ，４ａが設けられている。
【０１０７】
該リブ４ｃ，４ａは、当該伝熱フィン１の前縁部１ａおよび後縁部１ｂをそれぞれプレス成形することにより、例えば前述の図５の（ａ）に示すような断面Ｖ字形に形成され、その一側面側にフィン面よりも高さが高い凸条部４１を、他側面側にフィン面よりも高さが低い凹条部４２を形成している。
【０１０８】
したがって、該構成では、上記伝熱フィン後縁部１ｂ部分におけるドレン水の滞留が生じにくくなる一方、空気流により後方に吹き流される水滴状態のドレン水が前縁部１ａおよび後縁部１ｂに設けられたリブ４ｃ，４ａの凸条部４１と凹条部４２により、それぞれ最上流側と最下流側の２ケ所で係留されて集合し、重力によって当該凸条部４１および凹条部４２に沿って下方に排出されるようになるため、水はけ性能が向上し、仮にフィン面の親水機能が劣化したとしても、より有効にドレン水の飛散が防止されるようになる。また、当該伝熱フィン１の前縁部１ａと後縁部１ｂの両方に各々フィン長手方向に補強効果の高い断面Ｖ字形のリブ４ｃ，４ａが設けられていることから、当該伝熱フィン１自体の強度（剛性）がさらに増大し、製造性が良くなって組立工程等での変形等による伝熱性能の低下も抑制される。
【０１０９】
また、それに加えて風上側で熱伝達率の高いフラットな前縁部１ａの幅を広く形成しているので、通風抵抗を増大させることなく十分な前縁効果を得ることができるようになり、より有効に、伝熱性能が向上する。
【０１１０】
（他の変形例１）
なお、以上の図１〜図４および図６〜図１２の各実施の形態の伝熱フィンの構成におけるルーバー（又はスリット）３ａ，３ａ・・・、３ｂ，３ｂ・・・は、図１〜図４および図６〜図１２のような長さの短かいルーバー片を上下方向に複数個組合せて複数列のルーバーを形成するものに限られる訳ではなく、例えば図１３〜図２３に同様の順序で対応して示されるように、それぞれ上下方向に長さの長いルーバー片に変更し、その長さを変えることによって同様の機能を果たす複数列のルーバー３ａ，３ａ・・・，３ｂ，３ｂ・・・を形成することもできる。
【０１１１】
そのような構成にすると、ルーバー片の数が減少し、加工工数が少なくて済むので、その分低コストになる。
【０１１２】
そして、該場合にも各々対応する上述の各実施の形態と同様の構成を採用することにより同様の作用を得ることができる。
【０１１３】
（他の変形例２）
なお、以上の各実施の形態における上記伝熱管挿通部２ａ，２ａ・・・、２ｂ，２ｂ・・・は例えば３列以上設けてもよく、そのようにした場合にも上記と全く同様の構成を採用することができる。
【図面の簡単な説明】
【図１】  本願発明の実施の形態１に係る空調用熱交換器の伝熱フィンの正面図である。
【図２】  本願発明の実施の形態２に係る空調用熱交換器の伝熱フィンの正面図である。
【図３】  本願発明の実施の形態３に係る空調用熱交換器の伝熱フィンの正面図である。
【図４】  本願発明の実施の形態４に係る空調用熱交換器の伝熱フィンの正面図である。
【図５】  本願発明の実施の形態２〜４に係る空調用熱交換器の伝熱フィンにおけるリブの構造例を示す断面図である。
【図６】  本願発明の実施の形態５に係る空調用熱交換器の伝熱フィンの正面図である。
【図７】  同伝熱フィンの要部の断面図である。
【図８】  本願発明の実施の形態６に係る空調用熱交換器の伝熱フィンの正面図である。
【図９】  本願発明の実施の形態８に係る空調用熱交換器の伝熱フィンの正面図である。
【図１０】  本願発明の実施の形態１０に係る空調用熱交換器の伝熱フィンの正面図である。
【図１１】  本願発明の実施の形態１１に係る空調用熱交換器の伝熱フィンの正面図である。
【図１２】  本願発明の実施の形態１２に係る空調用熱交換器の伝熱フィンの正面図である。
【図１３】  本願発明の実施の形態１の変形例に係る空調用熱交換器の伝熱フィンの正面図である。
【図１４】  本願発明の実施の形態２の変形例に係る空調用熱交換器の伝熱フィンの正面図である。
【図１５】  本願発明の実施の形態３の変形例に係る空調用熱交換器の伝熱フィンの正面図である。
【図１６】  本願発明の実施の形態４の変形例に係る空調用熱交換器の伝熱フィンの正面図である。
【図１７】  本願発明の実施の形態５の変形例に係る空調用熱交換器の伝熱フィンの正面図である。
【図１８】  同伝熱フィンの要部の断面図である。
【図１９】  本願発明の実施の形態６の変形例に係る空調用熱交換器の伝熱フィンの正面図である。
【図２０】  本願発明の実施の形態８の変形例に係る空調用熱交換器の伝熱フィンの正面図である。
【図２１】  本願発明の実施の形態１０の変形例に係る空調用熱交換器の伝熱フィンの正面図である。
【図２２】  本願発明の実施の形態１１の変形例に係る空調用熱交換器の伝熱フィンの正面図である。
【図２３】  本願発明の実施の形態１２の変形例に係る空調用熱交換器の伝熱フィンの正面図である。
【図２４】  従来例に係る空調用熱交換器の伝熱フィンの正面図である。
【符号の説明】
１は伝熱フィン、１ａは前縁部、１ｂは後縁部、１ｃは中央部、２ａは前列側伝熱管挿通部、２ｂは後列側伝熱管挿通部、３ａは前列側ルーバー、３ｂは後列側ルーバー、４ａ，４ｂ，４ｃはリブ、５は折り返し部、５ａは折り返し片、６は樹脂棒、７は繊維材である。
【図１】
0004106780.tif 000002
【図２】
0004106780.tif 000003
【図３】
0004106780.tif 000004
【図４】
0004106780.tif 000005
【図５】
0004106780.tif 000006
【図６】
0004106780.tif 000007
【図７】
0004106780.tif 000008
【図８】
0004106780.tif 000009
【図９】
0004106780.tif 000010
【図１０】
0004106780.tif 000011
【図１１】
0004106780.tif 000012
【図１２】
0004106780.tif 000013
【図１３】
0004106780.tif 000014
【図１４】
0004106780.tif 000015
【図１５】
0004106780.tif 000016
【図１６】
0004106780.tif 000017
【図１７】
0004106780.tif 000018
【図１８】
0004106780.tif 000019
【図１９】
0004106780.tif 000020
【図２０】
0004106780.tif 000021
【図２１】
0004106780.tif 000022
【図２２】
0004106780.tif 000023
【図２３】
0004106780.tif 000024
【図２４】
0004106780.tif 000025